(57)【要約】【解決手段】釣針１の基部に、錘部２と擬餌体Ｂを保持するためのキーパー部３とを有する。キーパー部３の軸横断面形状を角柱型とする。角柱型のキーパー部３の４つの面のうち相対する２つの面3a，3bの上側に突起４，４を、また、前記２つの面3a，3bを除く他の１つの面3cの下側に突起５を設ける。【効果】キーパー部３に装着されている擬餌体Ｂが、キーパー部３の尖った稜線部分3eとも接触する。また、擬餌体Ｂの上部が前記突起４，４で、さらに、擬餌体Ｂの下部が前記突起５で保持される。擬餌体Ｂがさらにずれにくくなる。水中でのジグヘッド自体の動きを擬餌体Ｂに余すところなく確実に伝えることができる。【選択図】図７
0003120751.tif 000002
【実用新案登録請求の範囲】
【請求項１】
釣針１の基部に錘部２とワームやグラブその他の擬餌体Ｂを保持するためのキーパー部３とを有するジグヘッドにおいて、前記キーパー部３の軸横断面形状を角柱型とし、角柱型のキーパー部３の４つの面のうち相対する２つの面3a，3bの上下方向の同じ位置に突起４，４を、前記２つの面3a，3bを除く他の少なくとも１つの面3cに突起５を設けたことを特徴とするジグヘッド。
【請求項２】
突起４，４と突起５とを上下方向に異ならしめて設けたことを特徴とする請求項１記載のジグヘッド。
【請求項３】
ラインアイ６を上にしたときのキーパー部３の上側に突起４，４を、また、キーパー部３の下側に突起５を設けたことを特徴とする請求項１又は２記載のジグヘッド。
【考案の詳細な説明】
【技術分野】
【０００１】
本考案は、主としてルアー釣りに用いるジグヘッドに関するものである。
【背景技術】
【０００２】
この種のジグヘッドは、例えば特許文献１〜３に示すように、通常釣針の基部に錘部と擬餌体を保持するためのキーパー部とを有している。そして、通常、錘部は丸く、キーパー部の軸横断面形状は円柱形である。
【０００３】
【特許文献１】特開平１０−６６４７９号公報
【０００４】
【特許文献２】特開平１０−２２９７８５号公報
【０００５】
【特許文献３】登録実用新案第３０４１９０４号公報
【考案の開示】
【考案が解決しようとする課題】
【０００６】
キーパー部にはワームその他の擬餌体が装着されるが、従来の場合、その軸横断面形状が円柱形であるから、水中でジグヘッドを泳がせたときキーパー部に装着されている擬餌体がずれやすく、ともすると脱落してしまう場合がある。
【０００７】
本考案はこのような欠点を解消するとともに、水中でのジグヘッド自体の動きを擬餌体に余すところなく、確実に伝えることができるようにしたものである。
【課題を解決するための手段】
【０００８】
上記目的を達成するために、本考案では、キーパー部３の軸横断面形状を角柱型とし、角柱型のキーパー部３の４つの面のうち相対する２つの面3a，3bの上下方向の同じ位置に突起４，４を、前記２つの面3a，3bを除く他の少なくとも１つの面3cに突起５を設けたものである。
このようにすると、角柱型のキーパー部３に装着されている擬餌体Ｂがキーパー部３の相対する２つの面3a，3bにある突起４，４と、前記２つの面3a，3bを除く他の少なくとも１つの面3cにある突起５で保持されるとともに、キーパー部３の尖った稜線部分3eとも接触しているので、水中でジグヘッドを泳がせても擬餌体Ｂがずれることがなく、また、水中でのジグヘッド自体の動きを擬餌体Ｂに余すところなく確実に伝えることができる。
【０００９】
なお、突起５は前記２つの面3a，3bを除く他の１つの面3cに設けても、他のもう１つの面3dに設けても良いし、前記２つの面3a，3bを除く他の２つの面3c，3dにそれぞれ設けても良い。
【００１０】
突起４，４と突起５は上下方向の同じ位置に設けても良いが、上下方向に異ならしめて設けるのが望ましい。このようにすると、キーパー部３に装着されている擬餌体Ｂが、上下方向において異なる位置にある突起４，４と突起５とにより上下方向の異なる位置で保持されるので、水中でジグヘッドを泳がせても擬餌体Ｂがよりずれにくくなる。
【００１１】
突起４，４と突起５の上下位置関係はどちらを上側にしても良いが、ラインアイ６を上にしたときのキーパー部３の上側に突起４，４を、また、キーパー部３の下側に突起５を設けることが望ましい。
この場合には、ラインアイ６を上にしたとき、キーパー部３に装着されている擬餌体Ｂが、キーパー部３の尖った稜線部分3eとも接触し、また、擬餌体Ｂの上部がキーパー部３の上側であって相対する２つの面3a，3bにある突起４，４で、さらに、擬餌体Ｂの下部がキーパー部３の下側であって前記２つの面3a，3bを除く他の少なくとも１つの面3cにある突起５でも保持される。従って、水中でジグヘッドを泳がせても擬餌体Ｂがさらにずれにくくなる。
【考案の効果】
【００１２】
請求項１記載のジグヘッドを用いた場合には、角柱型のキーパー部３に装着されている擬餌体Ｂがキーパー部３の相対する２つの面3a，3bにある突起４，４と、前記２つの面3a，3bを除く他の少なくとも１つの面3cにある突起５で保持されるとともに、キーパー部３の尖った稜線部分3eとも接触しているので、水中でジグヘッドを泳がせても擬餌体Ｂがずれることがなく、また、水中でのジグヘッド自体の動きを擬餌体Ｂに余すところなく確実に伝えることができる。
【００１３】
請求項２記載のジグヘッドを用いた場合には、キーパー部３に装着されている擬餌体Ｂが、上下方向において異なる位置にある突起４，４と突起５とにより上下方向の異なる位置で保持されるので、水中でジグヘッドを泳がせても擬餌体Ｂがよりずれにくくなる。
【００１４】
請求項３記載のジグヘッドを用いた場合には、ラインアイを上にしてキーパー部３に擬餌体Ｂを装着したとき、擬餌体Ｂがキーパー部３の尖った稜線部分3eとも接触し、また、擬餌体Ｂの上部がキーパー部３の上側であって相対する２つの面3a，3bにある突起４，４で、さらに、擬餌体Ｂの下部がキーパー部３の下側であって前記２つの面3a，3bを除く他の少なくとも１つの面3cにある突起５でも保持されるので、水中でジグヘッドを泳がせても擬餌体Ｂがさらにずれにくくなる。
【考案を実施するための最良の形態】
【００１５】
本考案を実施するための最良の形態について、図面を参照しながら詳細に説明する。
ここには、主としてルアー釣りに用いるジグヘッドの一例を示す。図６に示すように、釣針１の基部1aを先曲げ部1b方向に折り曲げ、この折り曲げ部分に錘部２が、また、基部1aにワームやグラブその他の擬餌体Ｂを保持するためのキーパー部３が形成されている。そして、錘部２の形状は通常の形状である丸球型であり、その側方からラインアイ1cが突出している。
【００１６】
キーパー部３の軸横断面形状は、図１および図５に示すように、通常の形状とは異なる角柱型であって、角柱型のキーパー部３の４つの面3a，3b，3c，3dとそれぞれの面が交わるところに上下方向に長い尖った稜線部分3eを有する特殊な形をしている。
【００１７】
そして、図１〜図３に示すように、前記４つの面3a，3b，3c，3dのうち相対する２つの面3a，3bの上下方向の同じ位置に突起４，４が、前記２つの面3a，3bを除く他の少なくとも１つの面3cに突起５が設けられている。突起４，４と突起５は上下方向に異ならしめて、しかも、ラインアイ1cを上にしたときのキーパー部３の上側に突起４，４が、また、キーパー部３の下側に突起５が来るように設けられている。
【００１８】
キーパー部３をこのような形態にすると、ラインアイ1cを上にして図７に示すようにキーパー部３に擬餌体Ｂを装着したとき、擬餌体Ｂがキーパー部３の尖った稜線部分3eとも接触し、また、擬餌体Ｂの上部がキーパー部３の上側であって相対する２つの面3a，3bにある突起４，４で、さらに、擬餌体Ｂの下部がキーパー部３の下側であって前記２つの面3a，3bを除く他の少なくとも１つの面3cにある突起５でも保持されることになる。従って、水中でジグヘッドを泳がせても擬餌体Ｂがさらにずれにくくなり、また、水中でのジグヘッド自体の動きを擬餌体Ｂに余すところなく確実に伝えることができる。
【００１９】
突起４，４は図１、図２に示すように下方に行くに従って先細りとなる三面体で、その上面4aは図２、図３に示すように水平状の平坦面となっている。また、突起５は図１、図３に示すように下方に行くに従って先細りとなる三面体で、その上面5aは図２に示すように奥に行くに従って低くなる傾斜面である。
【００２０】
キーパー部３に装着される擬餌体Ｂは、通常、軟質合成樹脂で作られているが、種々の材質のもので作ることもできる。
【図面の簡単な説明】
【００２１】
【図１】本考案によるジグヘッドの一例を示す斜視図である。
【図２】本考案によるジグヘッドの一例を示す正面図である。
【図３】図２に示すジグヘッドの右側面図である。
【図４】図２に示すジグヘッドの平面図である。
【図５】図２に示すジグヘッドの底面図である。
【図６】図４のＡ−Ａ線断面図である。
【図７】キーパー部に擬餌体を装着した状態を示す正面図である。
【符号の説明】
【００２２】
１…釣針、1a…基部、1b…先曲げ部、1c…ラインアイ、２…錘部、３…キーパー部、3a，3b，3c，3d…面、４，５…突起、Ｂ…擬餌体。
【図１】
0003120751.tif 000003
【図２】
0003120751.tif 000004
【図３】
0003120751.tif 000005
【図４】
0003120751.tif 000006
【図５】
0003120751.tif 000007
【図６】
0003120751.tif 000008
【図７】
0003120751.tif 000009